(57)【要約】      （修正有）【課題】側溝や水路のコンクリートブロックの上面開口に嵌め込んだグレーチングの跳ね上げや盗難を抑制するグレーチングの抜け止め機構を提供する。【解決手段】グレーチングの前後端に抜け止め具１１を固定した抜け止め機構において、グレーチング１は、格子パネル２の下面の左右の端部に嵩上げ台３を固定した。抜け止め具１１は、階段型にし、縦片の上端から上側横片１３を後側に突出し、縦片の下端から下側横片１４を前側に突出した。上側横片１３は格子パネル２の下面に溶接などで固定した。縦片は格子パネル２の下側に、下側横片１４は格子パネル２の前側又は後側に突出した。上側横片１３を固定する格子パネル２の左右方向固定位置は、使用時にコンクリートブロックの上面開口の左右の蓋受け部と対面する左右の端部２２以外であって、コンクリート板状蓋の手掛り凹部に隣接する左右方向中央部２３以外の部分２１にした。【選択図】図１
0003207875.tif 000002
【実用新案登録請求の範囲】
【請求項１】
側溝や水路のコンクリートブロックの上面開口に落とし込むグレーチングの前端と後端に抜け止め具を固定した抜け止め機構において、
金属格子状蓋のグレーチングは、格子パネルの下面の左右の端部にそれぞれ嵩上げ台を前後方向に沿って固定し、
コンクリートブロックの上面開口は、左右に蓋受け部を設け、左右の蓋受け部にグレーチングの左右の嵩上げ台とコンクリート板状蓋の左右の端部を載せる構成にし、
グレーチングは、コンクリートブロックの上面開口に落とし込んだ使用時に、上面開口内のコンクリート板状蓋又はコンクリートブロックの上面開口隣の梁部に隣接する構成にしており、
抜け止め具は金属板を２か所で折り曲げて階段型にし、階段型抜け止め具は、縦片と、縦片の上端から後側に突出する上側横片、及び、縦片の下端から前側に突出する下側横片から構成し、
階段型抜け止め具は、上側横片を格子パネルの下面に溶接などで固定し、縦片を格子パネルの下側に突出し、下側横片を格子パネルの下側に配置してグレーチングの前側又は後側に突出していることを特徴とするグレーチングの抜け止め機構。
【請求項２】
上側横片を格子パネル下面の前端又は後端に固定する左右方向位置は、使用時にコンクリートブロックの上面開口の左右の蓋受け部と対面する格子パネルの左右の端部以外の部分にし、使用時に下側横片がコンクリートブロックの梁部の下側又はコンクリート板状蓋の下側に位置する構成にしていることを特徴とする請求項１に記載のグレーチングの抜け止め機構。
【請求項３】
上側横片を格子パネル下面の前端又は後端に固定する左右方向位置は、使用時にコンクリート板状蓋の手掛り凹部に隣接する格子パネルの左右方向中央部以外の部分にし、使用時に下側横片がコンクリート板状蓋の手掛り凹部付き端部、コンクリート板状蓋の手掛り凹部なし端部又はコンクリートブロックの梁部の下側に位置する構成にしていることを特徴とする請求項１に記載のグレーチングの抜け止め機構。
【請求項４】
上側横片を格子パネル下面の前端又は後端に固定する左右方向位置は、使用時にコンクリートブロックの上面開口の左右の蓋受け部と対面する格子パネルの左右の端部以外であって使用時にコンクリート板状蓋の手掛り凹部に隣接する格子パネルの左右方向中央部以外の部分にし、使用時に下側横片がコンクリートブロックの梁部の下側、コンクリート板状蓋の手掛り凹部付き端部又はコンクリート板状蓋の手掛り凹部なし端部の下側に位置する構成にしていることを特徴とする請求項１に記載のグレーチングの抜け止め機構。
【請求項５】
階段型抜け止め具は、グレーチングの前端と後端にそれぞれ２個を左側と右側に固定していることを特徴とする請求項１〜４のいずれかに記載のグレーチングの抜け止め機構。
【請求項６】
階段型抜け止め具は、グレーチングの前端と後端にそれぞれ１個を固定していることを特徴とする請求項１〜４のいずれかに記載のグレーチングの抜け止め機構。
【請求項７】
階段型抜け止め具は、グレーチングの前端又は後端の一端に２個を左側と右側に固定し、他端に１個を固定していることを特徴とする請求項１〜４のいずれかに記載のグレーチングの抜け止め機構。
【請求項８】
階段型抜け止め具は、グレーチングの前端又は後端の他端の１個を格子パネルの左右方向中央部に配置していることを特徴とする請求項１〜４のいずれかに記載のグレーチングの抜け止め機構。
【考案の詳細な説明】
【技術分野】
【０００１】
本考案は、側溝や水路のコンクリートブロックの上面開口に嵌め込んだグレーチングの跳上や盗難を抑制する抜け止め技術に関する。
【背景技術】
【０００２】
側溝や水路のコンクリートブロックは、幅方向の左右に側壁を並列して縦断面をＵ形状又は逆Ｕ形状にしている。左右の側壁は、その間を水の流路にし、上面に開口を設けている。そして、左右の側壁はそれぞれ上端部の内側を段状に形成し、上面開口の左右の端にそれぞれ段状の蓋受け部を前後方向に沿って設けている。一部のコンクリートブロックは、左右の側壁の上端の間に梁部を掛け渡して設けている。梁部は、上面開口の前端又は後端に隣接している。
【０００３】
コンクリートブロックの上面開口には、金属格子状蓋のグレーチングとコンクリート板状蓋をそれぞれ落とし込む。グレーチングとコンクリート板状蓋は、それぞれ、左右の端部を上面開口の左右の蓋受け部に載せる。方形状のグレーチングとコンクリート板状蓋は、側溝や水路の流れ方向の前後に隣接し、上面を同一平面内に配置する。
【０００４】
グレーチングは、鋼材を溶接して構成し、格子パネルと嵩上げ台からなる。方形板状の格子パネルは、下面の左右の端部にそれぞれ角棒形状の嵩上げ台を前後方向に沿って固定している。方形板状の格子パネルは、左端と右端にエンドバーを並列し、左右のエンドバーの間にメインバーを左右方向に沿って掛け渡して固定している。メインバーは、多数本を前後方向に等間隔に配列している。横長長方形板の各メインバーは、それぞれ、上部に棒形状のクロスバーを前後方向に貫通して固定している。クロスバーは、多数本を左右方向に等間隔に配列している。
コンクリート板状蓋は、前端又は後端の左右方向中央部に持上げ用の手掛り凹部を形成している。
【０００５】
特許文献１に開示のグレーチングは、盗難防止のため、コンクリートブロックの上面開口から抜き出し難くする抜け止め機構を設けている。
第１例の抜け止め機構は、図１に示されているように、グレーチングの左右の嵩上げ台の前後端にそれぞれＬ型抜け止め具を固定している。Ｌ型抜け止め具は、鋼板を折り曲げてＬ型に成形し、縦片と横片から構成している。縦片は、左端と右端の嵩上げ台の前端と後端にそれぞれ固定している。横片は、グレーチングの前端又は後端から前側又は後側に突出している。横片の下面は、嵩上げ台の下面と同一平面内に配置している。コンクリート板状蓋は、図７に示されているように、下面の左右前後の隅角部にそれぞれ切欠凹部を形成している。グレーチングとコンクリート板状蓋は、図４〜図６に示されているように、コンクリートブロックの上面開口に落とし込むと、前後方向に隣接し、グレーチングの左右の嵩上げ台と前後のＬ型抜け止め具の横片及びコンクリート板状蓋の左右の端部がそれぞれ上面開口の左右の蓋受け部に載る。グレーチングの左右前後のＬ型抜け止め金具の横片がそれぞれコンクリート板状蓋の左右前後の切欠凹部に嵌る。グレーチングは、抜出用の上昇力を加えると、Ｌ型抜け止め具の横片がコンクリート板状蓋下面の切欠凹部に当たって上昇しない。コンクリート板状蓋を先に取り外さないと、抜き出せない。
【０００６】
第２例の抜け止め機構は、図２に示されているように、グレーチングの前端又は後端の一端では第１例におけるのと同様にＬ型抜け止め具を左右の嵩上げ台の端に固定し、他端では広幅のＬ型抜け止め具を格子パネルの左右方向中央部に固定している。広幅のＬ型抜け止め具は、広幅の縦片の上部を格子パネルの前端又は後端のメインバーの内面に固定している。広幅の横片は、グレーチングの前側又は後側に突出している。広幅の横片の上面を嵩上げ台の下面と同一平面内に配置している。コンクリートブロックは、図８と図９に示されているように、上面開口の前隣と後隣にそれぞれ梁部を形成している。グレーチングをコンクリートブロックの上面開口に嵌め込むと、図１０と図１２に示されているように、広幅のＬ型抜け止め具の横片がコンクリートブロックの梁部の下側に位置する。グレーチングは、抜出用の上昇力を加えると、広幅のＬ型抜け止め具の横片がコンクリートブロックの梁部の下面に当たって上昇しない。
【０００７】
第３例の抜け止め機構は、図３に示されているように、グレーチングの前端と後端の両端でそれぞれ第２例におけるのと同様に広幅のＬ型抜け止め具を格子パネルの左右方向中央部に固定している。グレーチングをコンクリートブロックの上面開口に嵌め込むと、図１１と図１２に示されているように、広幅のＬ型抜け止め具の横片がコンクリートブロックの梁部の下側又はコンクリート板状蓋の下側に位置する。
【先行技術文献】
【特許文献】
【０００８】
【特許文献１】登録実用新案第３１３３６４４号公報
【考案の概要】
【考案が解決しようとする課題】
【０００９】
［課  題］
上記のようなグレーチングの抜け止め機構において
＜課題１＞
第１例と第２例のように、Ｌ型抜け止め具を嵩上げ台の端に固定した抜け止め機構は、コンクリート板状蓋の下面に切欠凹部を要する。そのような切欠凹部のない既製のコンクリート板状蓋を用いるには、切欠凹部を追加で加工する手間が掛る。その上、Ｌ型抜け止め具の縦片を嵩上げ台の前端又は後端に固定する際、縦片を格子パネルの前端又は後端より前側又は後側に突出させないために、嵩上げ台の前端又は後端は、格子パネルの前端又は後端より縦片の板厚分以上、凹んでいる必要がある。そのようになっていない既製のグレーチングにＬ型抜け止め具を取り付けるには、嵩上げ台の前端又は後端を切ったり削ったりする手間が掛る。逆に、嵩上げ台の前端又は後端が縦片の板厚分より多く凹んでいる既製のグレーチングにＬ型抜け止め具を取り付けると、Ｌ型抜け止め具の横片が格子パネルの前端又は後端から突出する量が少なくなる。
第２例と第３例のように、Ｌ型抜け止め具を格子パネルの左右方向中央部に固定した抜け止め機構は、Ｌ型抜け止め具の縦片を既製の格子パネルの前端又は後端のメインバーの内面に溶接する際、溶接の作業空間が狭く、作業し難い。縦片を溶接するメインバーの内面に対面する隣のメインバーや、それらのメインバーの上部を貫通するクロスバーが溶接作業を邪魔する。
Ｌ型抜け止め具付きのグレーチングは、製作し難い。Ｌ型抜け止め具は、既製のグレーチング、既製の格子パネルに追加で取り付け難い。
【００１０】
＜課題２＞
第１例と第２例のように、Ｌ型抜け止め具を嵩上げ台の端に固定した抜け止め機構は、コンクリートブロックの上面開口隣の梁部に用いることができない。第２例と第３例のように、Ｌ型抜け止め具を格子パネルの左右方向中央部に固定した抜け止め機構は、コンクリート板状蓋の手掛り凹部付き端部に用いることができない。
Ｌ型抜け止め具付きのグレーチングは、使用範囲が狭い。複数種類を製作して使い分ける手間が掛る。
【００１１】
［構  想］
＜構想１＞
抜け止め具は、方形板の金属板を２か所で折り曲げて階段型に成形する。階段型抜け止め具は、縦片と、縦片の上端から後側に突出する上側横片、及び、縦片の下端から前側に突出する下側横片から構成する。上側横片は、グレーチングの前端又は後端に固定する。縦片は、グレーチングの下側に突出する。下側横片は、グレーチングの下側に配置し、グレーチングの前側又は後側に突出する。
階段型抜け止め具の上側横片を固定するグレーチングの部材面は、格子パネルの下面にする。上側横片の上面を格子パネルの下面に溶接などで固定する。溶接などの固定作業空間が広く、作業し易い。
結局、グレーチングの抜け止め機構は、製作し易い。階段型抜け止め具は、既製のグレーチング、既製の格子パネルに追加で取り付け易い。
【００１２】
＜構想２＞
階段型抜け止め具の上側横片を格子パネル下面の前端又は後端に固定するに当たり、固定の左右方向位置を選定する際、使用時にコンクリートブロックの上面開口の左右の蓋受け部と対面する格子パネルの左右の端部を避ける。固定の左右方向位置は、左右の蓋受け部対面端部以外の部分にする。下側横片は、コンクリートブロックの上面開口の左右の蓋受け部には載せない。コンクリート板状蓋の下面に切欠凹部が不要となる。既製のコンクリート板状蓋を追加加工なしてそのまま用いることができる。
階段型抜け止め具は、下側横片の上下方向位置を決める縦片の長さを選定する際、使用時に下側横片がグレーチング隣のコンクリートブロックの梁部の下側又はコンクリート板状蓋の下側に位置する長さにする。
階段型抜け止め具を格子パネル下面の前端又は後端における左右の蓋受け部対面端部以外の部分に固定した抜け止め機構は、コンクリートブロックの梁部にも、コンクリート板状蓋の端部にも用いることができる。
【００１３】
＜構想３＞
更に、階段型抜け止め具の上側横片を格子パネル下面の前端又は後端に固定するに当たり、固定の左右方向位置を選定する際、使用時にコンクリート板状蓋の手掛り凹部に隣接する格子パネルの左右方向中央部を避ける。固定の左右方向位置は、手掛り凹部隣接中央部以外の部分にする。
階段型抜け止め具を格子パネル下面の前端又は後端における手掛り凹部隣接中央部以外の部分に固定した抜け止め機構は、コンクリート板状蓋の手掛り凹部付き端部に用いることができる。
結局、階段型抜け止め具を格子パネル下面の前端又は後端における左右の蓋受け部対面端部以外であって手掛り凹部隣接中央部以外の部分、即ち、格子パネルの左半分の左右方向中央部と右半分の左右方向中央部に固定した抜け止め機構は、コンクリートブロックの梁部にも、コンクリート板状蓋の手掛り凹部付き端部にも、コンクリート板状蓋の手掛り凹部なし端部にも用いることができる。
階段型抜け止め具によるグレーチングの抜け止め機構は、使用範囲が広い。複数種類を製作して使い分ける手間が掛らない。
【課題を解決するための手段】
【００１４】
１．側溝や水路のコンクリートブロックの上面開口に落とし込むグレーチングの前端と後端に抜け止め具を固定した抜け止め機構において、
金属格子状蓋のグレーチングは、格子パネルの下面の左右の端部にそれぞれ嵩上げ台を前後方向に沿って固定し、
コンクリートブロックの上面開口は、左右に蓋受け部を設け、左右の蓋受け部にグレーチングの左右の嵩上げ台とコンクリート板状蓋の左右の端部を載せる構成にし、
グレーチングは、コンクリートブロックの上面開口に落とし込んだ使用時に、上面開口内のコンクリート板状蓋又はコンクリートブロックの上面開口隣の梁部に隣接する構成にしており、
抜け止め具は金属板を２か所で折り曲げて階段型にし、階段型抜け止め具は、縦片と、縦片の上端から後側に突出する上側横片、及び、縦片の下端から前側に突出する下側横片から構成し、
階段型抜け止め具は、上側横片を格子パネルの下面に溶接などで固定し、縦片を格子パネルの下側に突出し、下側横片を格子パネルの下側に配置してグレーチングの前側又は後側に突出していることを特徴とするグレーチングの抜け止め機構。
２．上記１のグレーチングの抜け止め機構において、
上側横片を格子パネル下面の前端又は後端に固定する左右方向位置は、使用時にコンクリートブロックの上面開口の左右の蓋受け部と対面する格子パネルの左右の端部以外の部分にし、使用時に下側横片がコンクリートブロックの梁部の下側又はコンクリート板状蓋の下側に位置する構成にしていることを特徴とする。
３．上記１のグレーチングの抜け止め機構において、
上側横片を格子パネル下面の前端又は後端に固定する左右方向位置は、使用時にコンクリート板状蓋の手掛り凹部に隣接する格子パネルの左右方向中央部以外の部分にし、使用時に下側横片がコンクリート板状蓋の手掛り凹部付き端部、コンクリート板状蓋の手掛り凹部なし端部又はコンクリートブロックの梁部の下側に位置する構成にしていることを特徴とする。
４．上記１のグレーチングの抜け止め機構において、
上側横片を格子パネル下面の前端又は後端に固定する左右方向位置は、使用時にコンクリートブロックの上面開口の左右の蓋受け部と対面する格子パネルの左右の端部以外であって使用時にコンクリート板状蓋の手掛り凹部に隣接する格子パネルの左右方向中央部以外の部分にし、使用時に下側横片がコンクリートブロックの梁部の下側、コンクリート板状蓋の手掛り凹部付き端部又はコンクリート板状蓋の手掛り凹部なし端部の下側に位置する構成にしていることを特徴とする。
５．上記１〜４のいずれかのグレーチングの抜け止め機構において、
階段型抜け止め具は、グレーチングの前端と後端にそれぞれ２個を左側と右側に固定していることを特徴とする。
６．上記１〜４のいずれかのグレーチングの抜け止め機構において、
階段型抜け止め具は、グレーチングの前端と後端にそれぞれ１個を固定していることを特徴とする。
７．上記１〜４のいずれかのグレーチングの抜け止め機構において、
階段型抜け止め具は、グレーチングの前端又は後端の一端に２個を左側と右側に固定し、他端に１個を固定していることを特徴とする。
８．上記７のグレーチングの抜け止め機構において、
階段型抜け止め具は、グレーチングの前端又は後端の他端の１個を格子パネルの左右方向中央部に配置していることを特徴とする。
【考案の効果】
【００１５】
階段型抜け止め具によるグレーチングの抜け止め機構は、製作し易い。使用範囲が広い。
【図面の簡単な説明】
【００１６】
【図１】本考案の実施形態の第１例における抜け止め機構付きグレーチングの平面図。
【図２】同抜け止め機構付きグレーチングの正面図。
【図３】同抜け止め機構付きグレーチングの側面図。
【図４】同抜け止め機構の階段型抜け止め具の斜視図。
【図５】同抜け止め機構付きグレーチングの使用状態を示す平面図。
【図６】同使用状態を示す正面図。
【図７】同使用状態を示す側面図。
【図８】同抜け止め機構付きグレーチングの他の使用状態を示す平面図。
【図９】第２例における抜け止め機構付きグレーチングの平面図。
【図１０】第３例における抜け止め機構付きグレーチングの平面図。
【考案を実施するための形態】
【００１７】
［第１例（図１〜図８参照）］
本例の抜け止め機構付きグレーチングは、グレーチング１と階段型抜け止め具１１からなる。
金属格子状蓋のグレーチング１は、鋼材を溶接して構成している。そして、図１〜図３に示すように、格子パネル２と嵩上げ台３からなる。方形板状の格子パネル２は、下面の左右の端部にそれぞれ角棒形状の嵩上げ台３を前後方向に沿って固定している。左右の各嵩上げ台３は、前端面と後端面をそれぞれ格子パネル２の前端面と後端面と同一平面内に配置している。方形板状の格子パネル２は、左端と右端にエンドバー６を並列し、左右のエンドバー６の間にメインバー７を左右方向に沿って掛け渡して固定している。メインバー７は、多数本を前後方向に等間隔に配列している。横長長方形板の各メインバー７は、上部に棒形状のクロスバー８を前後方向に貫通して固定している。クロスバー８は、多数本を左右方向に等間隔に配列している。
【００１８】
階段型抜け止め具１１は、図４に示すように、方形板の鋼板を２か所でそれぞれ折り曲げて階段型にしている。そして、縦片１２、上側横片１３と下側横片１４からなる。縦片１２は、上端から上側横片１３を後側に突出し、下端から下側横片１４を前側に突出している。
この階段型抜け止め具１１は、図１〜図３に示すように、グレーチング１の前端と後端にそれぞれ固定している。前端の階段型抜け止め具１１では、上側横片１３は、上面をグレーチングの格子パネル２の下面に溶接して固定し、格子パネル２の下面の前端に配置している。縦片１２は、下方に突出し、前側面を格子パネル２の前端面と同一平面内に配置している。下側横片１４は、上面をグレーチングの嵩上げ台３の下面より低い位置に配置し、格子パネル２の前側に突出している。後端の階段型抜け止め具１１でも、同様にしている。前端と後端の階段型抜け止め具１１は、前向きと後向きの対称姿勢にしている。
【００１９】
グレーチング１の前端と後端では、図１と図２に示すように、それぞれ、階段型抜け止め具１１は、２個にし、格子パネル２の左側と右側に固定している。左側の階段型抜け止め具１１は、格子パネル２の左半分の左右方向中央部２１に配置している。右側の階段型抜け止め具１１は、格子パネル２の右半分の左右方向中央部２１に配置している。
【００２０】
階段型抜け止め具１１を固定する格子パネル２の左半分の左右方向中央部２１と右半分の左右方向中央部２１は、次のようにして決める。
格子パネル２の左端と右端の間において、グレーチング１の使用時に格子パネル２がコンクリートブロック３１の上面開口３２の左右の蓋受け部３３と対面する左右の端部２２と、格子パネル２がコンクリート板状蓋の手掛り凹部に隣接する左右方向中央部２３を求める。左蓋受け部対面の左端部２２と手掛り凹部隣接の左右方向中央部２３の間を左半分の左右方向中央部２１に、右蓋受け部対面の右端部２２と手掛り凹部隣接の左右方向中央部２３の間を右半分の左右方向中央部２１にする。
即ち、階段型抜け止め具１１の左右方向固定位置は、格子パネル２の下面の左端と右端の間において、左右の蓋受け部対面端部２２以外であって手掛り凹部隣接中央部２３以外の部分２１にしている。
【００２１】
本例の抜け止め機構付きグレーチング１を側溝のコンクリートブロック３１の上面開口３２に使用する場合、抜け止め機構付きグレーチング１は、図５〜図７に示すように、前後方向を側溝の流れ方向に、左右方向を側溝の幅方向に一致させ、コンクリートブロックの上面開口３２に落とし込む。また、コンクリートブロックの上面開口３２にコンクリート板状蓋３６を落とし込む。コンクリート板状蓋３６は、手掛り凹部３７をグレーチング１側に配置する。グレーチング１は、左右の嵩上げ台３をそれぞれ上面開口３２の左右の蓋受け部３３に載せる。後端の左右の階段型抜け止め具１１は、それぞれ、下側横片１４をコンクリートブロック３１の上面開口後隣の梁部３４の下側に配置する。前端の左右の階段型抜け止め具１１は、それぞれ、前隣のコンクリート板状蓋３６の手掛り凹部３７付き端部の下側に配置する。前端の左右の階段型抜け止め具の下側横片１４は、前隣のコンクリート板状蓋の手掛り凹部３７の左右の両側に位置する。グレーチング１は、抜出用の上昇力を加えると、前端と後端の階段型抜け止め具の下側横片１４がコンクリートブロックの上面開口後隣の梁部３４の下面とコンクリート板状蓋３６の下面に当たって上昇しない。跳上や盗難が抑制される。グレーチング１を抜き出すときは、コンクリート板状蓋３６を先に取り外す。
【００２２】
水路のコンクリートブロック３１の上面開口に使用する場合、抜け止め機構付きグレーチング１は、図８に示すように、前後方向を水路の流れ方向に、左右方向を水路の幅方向に一致させ、コンクリートブロックの上面開口３２に落とし込む。また、コンクリートブロックの上面開口３２にコンクリート板状蓋３６を落とし込む。コンクリート板状蓋３６は、グレーチング１の前隣と後隣にそれぞれ配置する。グレーチング１は、左右の嵩上げ台３をそれぞれ上面開口３２の左右の蓋受け部３３に載せる。後端の左右の階段型抜け止め具１１は、それぞれ、下側横片１４を後隣のコンクリート板状蓋３６の手掛り凹部なし端部の下側に配置する。前端の左右の階段型抜け止め具１１は、それぞれ、前隣のコンクリート板状蓋３６の手掛り凹部３７付き端部の下側に配置する。前端の左右の階段型抜け止め具の下側横片１４は、前隣のコンクリート板状蓋の手掛り凹部３７の左右の両側に位置する。グレーチング１は、抜出用の上昇力を加えると、前端と後端の階段型抜け止め具の下側横片１４が前隣と後隣のコンクリート板状蓋３６の下面に当たって上昇しない。跳上や盗難が抑制される。グレーチング１を抜き出すときは、コンクリート板状蓋３６を先に取り外す。
【００２３】
本例の抜け止め機構付きグレーチング１は、前端と後端の階段型抜け止め具１１が、それぞれ、コンクリートブロックの梁部３４にも、コンクリート板状蓋３６の手掛り凹部３７付き端部にも、コンクリート板状蓋３６の手掛り凹部なし端部にも用いられる。使用範囲が広い。多種類を製作して使い分ける手間が掛らない。
【００２４】
［第２例（図９参照）］
本例の抜け止め機構付きグレーチングは、第１例のそれにおいて、図９に示すように、前端で左側又は右側の片側の階段型抜け止め具をなくし、後端で左側又は右側の他側の階段型抜け止め具をなくしている。階段型抜け止め具１１は、グレーチング１の前端と後端でそれぞれ１個にしている。
本例の抜け止め機構付きグレーチング１は、階段型抜け止め具１１が半数になる。製作の手間が減る。
【００２５】
また、グレーチング１の前端と後端の各１個の階段型抜け止め具１１は、固定位置を第１例のそれと同じにしている、第１例におけるのと同様に、コンクリートブロック３１の梁部３４、コンクリート板状蓋３６の手掛り凹部３７付き端部と、コンクリート板状蓋３６の手掛り凹部なし端部に用いられる。使用範囲が広い。
その他の点は、第１例におけるのと同様である。第１例におけるのと同様な部分には、図中、第１例におけるのと同一の符号を付ける。
【００２６】
［第３例（図１０参照）］
本例の抜け止め機構付きグレーチングは、第１例のそれにおいて、図１０に示すように、後端の階段型抜け止め具１１を１個にし、その階段型抜け止め具１１の固定位置を格子パネル２の左右方向中央部にしている。
本例の抜け止め機構付きグレーチング１は、階段型抜け止め具１１の数が減り、製作の手間が減る。
【００２７】
また、前端の階段型抜け止め具１１は、個数も、固定位置も、第１例のそれと同じにしている。第１例におけるのと同様に、コンクリートブロック３１の梁部３４、コンクリート板状蓋３６の手掛り凹部３７付き端部と、コンクリート板状蓋３６の手掛り凹部なし端部に用いられる。後端の階段型抜け止め具１１は、コンクリートブロックの梁部３４と、コンクリート板状蓋３６の手掛り凹部なし端部に用いられる。
その他の点は、第１例におけるのと同様である。第１例におけるのと同様な部分には、図中、第１例におけるのと同一の符号を付ける。
【００２８】
［変形例］
本考案は、上記の実施形態に限定されない。次のような変形が例示される。
１．上記の実施形態の第１例において、階段型抜け止め具１１は、前後左右の４個にしているが、そのうちのいずれか１個をなくして３個にする。
２．上記の実施形態において、階段型抜け止め具１１とグレーチング１は、材料を鋼材にしているが、その他の金属材にする。
３．上記の実施形態において、階段型抜け止め具１１は、上側横片１３をグレーチングの格子パネル２の下面に固定する手段を溶接にしているが、接着剤、ろう付けやはんだにする。又は、その他の固定手段にする。
【符号の説明】
【００２９】
１  金属格子状蓋、グレーチング
２  格子パネル
３  嵩上げ台
６  エンドバー
７  メインバー
８  クロスバー
１１  階段型抜け止め具
１２  縦片
１３  上側横片
１４  下側横片
２１  格子パネルの左半分、右半分の左右方向中央部、階段型抜け止め具の左右方向固定位置
２２  格子パネルの左右の端部、左右の蓋受け部対面端部
２３  格子パネルの左右方向中央部、手掛り凹部隣接中央部
３１  側溝のコンクリートブロック、水路のコンクリートブロック
３２  上面開口
３３  蓋受け部
３４  梁部
３６  コンクリート板状蓋
３７  手掛り凹部
【図１】
0003207875.tif 000003
【図２】
0003207875.tif 000004
【図３】
0003207875.tif 000005
【図４】
0003207875.tif 000006
【図５】
0003207875.tif 000007
【図６】
0003207875.tif 000008
【図７】
0003207875.tif 000009
【図８】
0003207875.tif 000010
【図９】
0003207875.tif 000011
【図１０】
0003207875.tif 000012